(57)【要約】      （修正有）【課題】物置具が鉛直方向に沿ってサイド枠の横部分に組付けられており、物置具の側辺がサイド枠に固定されているため、物置具の高さの調整が便利となる組合せ式棚を提供する。【解決手段】両側に設けられている直立部分１１と、直立部分と連接する横部分１２と、がそれぞれ設けられている二つのサイド枠と、四つのコーナーには、組付け具４０がそれぞれ設けられており、各組付け具は水平板４１を有し、水平板は、係り溝４２と、係り溝の側辺に垂直に連接されている結合部４３と、を有し、係り溝は横部分と係合するためのものである少なくとも一つの物置具２０と、結合部と直立部分を脱着可能に結合する固定手段６０と、を含む。【選択図】図６
0003195938.tif 000002
【実用新案登録請求の範囲】
【請求項１】
両側に設けられている直立部分と、前記直立部分と連接する横部分と、がそれぞれ設けられている二つのサイド枠と、
四つのコーナーには、組付け具がそれぞれ設けられており、前記各組付け具は水平板を有し、前記水平板は、係り溝と、前記係り溝の側辺に垂直に連接されている結合部と、を有し、前記係り溝は前記横部分と係合するためのものである少なくとも一つの物置具と、
前記結合部と前記直立部分を脱着可能に結合する固定手段と、を含むことを特徴とする、
組合せ式棚。
【請求項２】
前記直立部分は、二つのロッド、又は一つのチューブを採用することを特徴とする、請求項１に記載の組合せ式棚。
【請求項３】
前記直立部分は、立設する二つのロッドを採用することを特徴とする、請求項１に記載の組合せ式棚。
【請求項４】
前記固定手段は、締結具と、ナットと、を含み、前記締結具は、前記直立部分と前記結合部を挿通して、前記ナットと螺合することを特徴とする、請求項１に記載の組合せ式棚。
【請求項５】
両側に設けられている直立部分と、前記直立部分と連接する横部分と、がそれぞれ設けられている少なくとも三つのサイド枠と、
外側に位置する二つの前記サイド枠に位置するコーナーには、組付け具がそれぞれ設けられており、前記組付け具は、外側に位置するこれらの前記サイド枠と結合するためのものである少なくとも二つの物置具と、
前記二つの物置具の隣接する二つのコーナーの間に設けられており、前記二つの物置具を固定するためのものであり、定位溝と、前記定位溝の側辺に位置する固定部と、をそれぞれ有し、前記定位溝は、内側に位置する横部分と係合するためのものである少なくとも二つの連接具と、
これらの前記固定部とこれらの前記直立部分をそれぞれ脱着可能に結合する固定手段と、を含むことを特徴とする、
組合せ式棚。
【考案の詳細な説明】
【技術分野】
【０００１】
本考案は、組合せ式棚に関し、特に、物置具の高さを便利に調整することが可能な組合せ式棚に関するものである。
【背景技術】
【０００２】
図１及び図２を参照する。図１は従来の棚を示す外観図であり、図２は従来の棚の構造を示す分解斜視図である。
従来の棚１は、サイド枠２と、プレート３と、を含む。プレート３の四つのコーナーには、セルフタッピングねじ８によって係止具４が締結されている。これにより、サイド枠２にプレート３を組付けることが可能であり、プレート３を支持することも可能である。
各サイド枠２は、二つの立設ロッド５と、溶接により前記二つの立設ロッド５に結合されている横ロッド６と、を有する。横ロッド６により、二つの立設ロッド５が離間される。係止具４はＵ字形断面形状溝７を有する。Ｕ字形断面形状溝７は、横ロッド６の上縁にある二つの立設ロッド５の間に係合されており、サイド枠２の二つの立設ロッド５の距離をもう少し増加する。係止具４により、サイド枠２にプレート３を固定することが可能となる。
【０００３】
しかし、棚１を組み立てたいときには、まず、二つの立設ロッド５の間に係止具４を係合して、係止具４にプレート３を締め付けることが必要である。このように、棚１を組み立てた後、サイド枠２の二つの立設ロッド５の距離がもう少し増加されて、二つの立設ロッド５が係止具４を挟むようになる。このため、必要によってプレート３の高さを調整することができず、特に、複数のプレートを有する棚の場合には、これが問題となる。
また、プレート３の位置を調整したいときには、係止具４とプレート３を分離することが必要であるが、このような分離作業を繰り返すと、プレート３のねじ穴が拡大して、プレート３の結合強度が降下する。
【考案の概要】
【考案が解決しようとする課題】
【０００４】
本考案の主な目的は、物置具が鉛直方向に沿ってサイド枠の横部分に組付けられており、物置具の側辺がサイド枠に固定されているため、物置具の高さの調整が便利となる組合せ式棚を提供することにある。
【課題を解決するための手段】
【０００５】
本考案の組合せ式棚によると、両側に設けられている直立部分と、直立部分と連接する横部分と、がそれぞれ設けられている二つのサイド枠と、四つのコーナーには、組付け具がそれぞれ設けられており、各組付け具は水平板を有し、水平板は、係り溝と、係り溝の側辺に垂直に連接されている結合部と、を有し、係り溝は横部分と係合するためのものである少なくとも一つの物置具と、結合部と直立部分を脱着可能に結合する固定手段と、を含むことを特徴とする。
【０００６】
本考案の組合せ式棚によると、直立部分は、二つのロッド、又は一つのチューブを採用することを特徴とする。
【０００７】
本考案の組合せ式棚によると、直立部分は、立設する二つのロッドを採用することを特徴とする。
【０００８】
本考案の組合せ式棚によると、固定手段は、締結具と、ナットと、を含み、締結具は、直立部分と結合部を挿通して、ナットと螺合することを特徴とする。
【０００９】
本考案の組合せ式棚によると、両側に設けられている直立部分と、直立部分と連接する横部分と、がそれぞれ設けられている少なくとも三つのサイド枠と、外側に位置する二つのサイド枠に位置するコーナーには、組付け具がそれぞれ設けられており、組付け具は、外側に位置するこれらのサイド枠と結合するためのものである少なくとも二つの物置具と、二つの物置具の隣接する二つのコーナーの間に設けられており、二つの物置具を固定するためのものであり、定位溝と、定位溝の側辺に位置する固定部と、をそれぞれ有し、定位溝は、内側に位置する横部分と係合するためのものである少なくとも二つの連接具と、これらの固定部とこれらの直立部分をそれぞれ脱着可能に結合する固定手段と、を含むことを特徴とする。
【考案の効果】
【００１０】
本考案の組合せ式棚によれば、次のような効果がある。
（１）物置具が鉛直方向に沿ってサイド枠の横部分に組付けられており、物置具の側辺がサイド枠に固定されているため、物置具の高さの調整が便利である。
【００１１】
（２）物置具の高さを調整したいときには、固定手段を緩めるだけで、物置具の高さを容易に調整することが可能であり、組付け具と物置具の結合関係が影響しないため、利用が極めて便利である。
【図面の簡単な説明】
【００１２】
【図１】従来の棚を示す外観図である。
【図２】従来の棚の構造を示す分解斜視図である。
【図３】本考案の実施例１を示す外観図である。
【図４】本考案の実施例１の物置具とサイド枠が分離される状態を示す図である。
【図５Ａ】本考案の実施例１の組付け具を示す外観図である。
【図５Ｂ】本考案の実施例１の組付け具の別の視点から見た外観図である。
【図６】本考案の実施例１の構造を示す分解斜視図である。
【図７】本考案の実施例１の一部を示す模式図であって、組付け具が直立部分に結合されている状態を示す。
【図８】本考案の実施例１の一部を示す模式図であって、組付け具が横部分に結合されている状態を示す。
【図９】本考案の実施例２の一部を示す模式図である。
【図１０】本考案の実施例３を示す外観図である。
【図１１】本考案の実施例３の構造を示す分解斜視図である。
【考案を実施するための形態】
【００１３】
以下、本考案の実施の形態を図面に基づいて説明する。
【００１４】
（実施例１）
図３から図８を参照する。図３は本考案の実施例１を示す外観図であり、図４は本考案の実施例１の物置具とサイド枠が分離される状態を示す図であり、図５Ａは本考案の実施例１の組付け具を示す外観図であり、図５Ｂは本考案の実施例１の組付け具の別の視点から見た外観図であり、図６は本考案の実施例１の構造を示す分解斜視図であり、図７は、本考案の実施例１の一部を示す模式図であって、組付け具が直立部分に結合されている状態を示し、図８は、本考案の実施例１の一部を示す模式図であって、組付け具が横部分に結合されている状態を示す。
本実施例の組合せ式棚１００は、図４に示すように、二つのサイド枠１０と、少なくとも一つの物置具２０と、二つのサイド枠１０の間に固定されている交差ロッド３０と、を含む。交差ロッド３０により、組合せ式棚１００の全体の構造は更に安定的となる。
【００１５】
サイド枠１０は、両側に設けられている直立部分１１と、直立部分１１と連接する横部分１２と、がそれぞれ設けられている。本実施例では、直立部分１１は立設する二つのロッド１１ａであり、横部分１２は、円形断面を有するロッドであり、溶接により二つのロッド１１ａの間に結合されており、二つのロッド１１ａを離間する。横部分１２は、複数あってもよく、距離を置いてサイド枠１０に設けられている。
【００１６】
物置具２０は、プレートであるが、収容空間を有する抽斗でもよい。物置具２０の数量は、横部分１２の数量に対応する。
【００１７】
複数の組付け具４０は、例えばセルフタッピングねじ５０によって、物置具２０の四つのコーナーに固定されている。物置具２０の両側に設けられている組付け具４０は、左右対称するように設けられているが、一側に設けられている組付け具を例にして説明する。
各組付け具４０は水平板４１を有する。水平板４１の一端には、開口が下方に向いており円弧形断面形状を有する係り溝４２が設けられている。係り溝４２は、サイド枠１０の横部分１２に合うことが可能である。水平板４１は、更に、貫通孔５１を有する。セルフタッピングねじ５０は、貫通孔５１を挿通して物置具２０にねじ込まれ、組付け具４０が物置具２０に固定されている。結合部４３は水平板４１と垂直に連接されている。結合部４３に穿孔４４が設けられている。
【００１８】
固定手段６０により、結合部４３と直立部分１１が結合される。固定手段６０は、締結具６１と、ナット６２と、を含む。締結具６１は、直立部分１１と結合部４３を挿通して、ナット６２と螺合する。詳細には、締結具６１が、二つのロッドの間の隙間と穿孔４４を挿通して、ナット６２にねじ込まれる。これにより、物置具２０とサイド枠１０は一体に結合される。
【００１９】
次に、本実施例の組立方法を説明する。図６を参照する。本実施例の組合せ式棚１００を組み立てたいときには、まず、物置具２０の四つのコーナーに組付け具４０を締め付けて、組合せ式棚１００に物置具２０を置く。すなわち、各組付け具４０の係り溝４２を横部分１２に合わせて、固定手段６０により、組付け具４０をサイド枠１０に固定する。こうして、組合せ式棚１００の組立作業が完了する。
本実施例では、物置具２０に組付け具４０を締め付けて、物置具２０をサイド枠１０に置いた後、固定手段６０により、組付け具４０をサイド枠１０に固定するため、物置具２０の高さを調整したいときには、締結具６１とナット６２を緩めるだけで、物置具２０を取り外して高さを変更することが可能である。すなわち、組付け具４０と物置具２０の結合関係を変更せず、物置具２０の高さを変更することが可能なため、極めて便利である。
【００２０】
図７及び図８を参照する。組付け具４０の係り溝４２は、開口が下方に向き、横部分１２に合わせることが可能である。組付け具４０の側辺が固定手段６０によってサイド枠１０に固定されており、物置具２０が組付け具４０に固定されているため、組合せ式棚１００全体の構造は安定的となり、各種類の品物を収納することが可能である。
【００２１】
（実施例２）
図９を参照する。図９は本考案の実施例２の一部を示す模式図である。
本実施例のサイド枠１０の直立部分１１は一つのチューブを採用する。もちろん、当該チューブの断面形状は、円形でもいいし、円形ではなくてもよい。特に、固定手段６０のナット６２の代わりに、直立部分１１にねじ穴を設けてもよい。すなわち、締結具６１により、組付け具４０と直立部分１１を固定することが可能であり、これらを結合する効果もある。
【００２２】
（実施例３）
図１０及び図１１を参照する。
本実施例の組合せ式棚１００は、少なくとも三つのサイド枠１０を含み、二つのサイド枠１０が外側に位置し、残りのサイド枠１０が内側に位置する。各サイド枠１０の構造は、上記の実施例と同じ、両側に設けられている直立部分１１と、直立部分１１と連接する横部分１２と、を含む。
【００２３】
少なくとも二つの物置具２０は、図１０に示すように、コーナーに組付け具４０がそれぞれ設けられている。組付け具４０は、外側に位置するこれらのサイド枠１０と結合するためのものである。本実施例の組付け具４０の構造は、上記の実施例と同じなため、説明を省略する。
【００２４】
少なくとも二つの連接具７０は、二つの物置具２０の隣接する二つのコーナーの間に設けられており、二つの物置具２０を固定するためのものである。各組付け具７０は水平板７１を有する。水平板７１の中央には、開口が下方に向き円弧形断面形状を有する定位溝７２が設けられている。係り溝７２は、内側に位置するサイド枠１０の横部分１２に合うことが可能である。水平部７１の一側は固定部７３と垂直に連接する。固定部７３に穿孔７４が設けられており、穿孔７４が定位溝７２の上方に位置する。一方、水平板４１の両端に貫通孔８１がそれぞれ設けられている。セルフタッピングねじ８０は、貫通孔８１を挿通して物置具２０にねじ込むと、連接具７０が物置具２０に固定される。
【００２５】
固定手段９０により、固定部７３を直立部分１１に結合することが可能である。固定手段９０は、上記の実施例と同じ、締結具９１と、ナット９２と、を含む。締結具９１は、直立部分１１と固定部７３の穿孔７４を挿通して、ナット９２と螺合する。
隣接する二つの物置具２０に二つの連接具７０を結合して、内側に位置するサイド枠１０の横部分１２に連接具７０を合わせて、固定手段９０によって、これらを固定すると、組合せ式棚１００全体の構造が安定的となり、組合せ式棚１００を横方向へ延ばすことが可能である。これにより、品物を収納可能な面積を増加することが可能である。
【００２６】
本考案は、物置棚に適用することができる。
【符号の説明】
【００２７】
１      棚
２      サイド枠
３      プレート
４      係止具
５      立設ロッド
６      横ロッド
７      Ｕ字形断面形状溝
８      セルフタッピングねじ
１０    サイド枠
１１    直立部分
１１ａ  ロッド
１２    横部分
２０    物置具
３０    交差ロッド
４０    組付け具
４１    水平板
４２    係り溝
４３    結合部
４４    穿孔
５０    セルフタッピングねじ
５１    貫通孔
６０    固定手段
６１    締結具
６２    ナット
７０    連接具
７１    水平部
７２    定位溝
７３    固定部
７４    穿孔
８０    セルフタッピングねじ
８１    貫通孔
９０    固定手段
９１    締結具
９２    ナット
１００  組合せ式棚
【図１】
0003195938.tif 000003
【図２】
0003195938.tif 000004
【図３】
0003195938.tif 000005
【図４】
0003195938.tif 000006
【図５Ａ】
0003195938.tif 000007
【図５Ｂ】
0003195938.tif 000008
【図６】
0003195938.tif 000009
【図７】
0003195938.tif 000010
【図８】
0003195938.tif 000011
【図９】
0003195938.tif 000012
【図１０】
0003195938.tif 000013
【図１１】
0003195938.tif 000014